(57)【要約】【課題】縦型の貯湯タンク内で該当する温度の温水層から希望する温度の温水を選択的に押し出して給湯することで、高温水を残すことにより、この高温水を熱交換器を用いて追い焚きすることができ、かつ高温水は元より中温水又は低温水も残すことにより、貯湯タンク内の温水の有効利用を図る。【解決手段】縦長に形成した貯湯タンク２内で上下方向に伸縮する伸縮パイプ１３を用いて、温度の異なる温水層が複数形成された貯湯タンク２内において、要求温度に応じた温度の温水層の位置に、伸縮パイプ１３の吸込口１４を移動させ、その位置の温水層の温水を押し出して給湯するが、貯湯タンク２内の温水をある時間帯に、浴槽６０、床暖房７５の熱交換に使用する予約がされたときは、その予約がされた要求温度の湯量が確保できる温水層の温水を残す。【選択図】図１
2011163689.tif 000002
【特許請求の範囲】
【請求項１】
縦長に形成した貯湯タンク（２）内で上下方向に伸縮する伸縮パイプ（１３）を用いて、該伸縮パイプ（１３）の吸込口（１４）を移動させながら要求温度の温水を給湯すると共に、貯湯タンク（２）内の温水を浴槽（６０）の追い焚き、床暖房（７５）の熱交換に使用する伸縮パイプ付き縦型電気温水器を用いた温水の予約制御方法であって、
温度の異なる温水層が複数形成された貯湯タンク（２）内において、要求温度に応じた温度の温水層の位置に、前記伸縮パイプ（１３）の吸込口（１４）を移動させ、その位置の温水層の温水を押し出して給湯するが、
前記貯湯タンク（２）内の温水をある時間帯に、浴槽（６０）、床暖房（７５）の熱交換に使用する予約がされたときは、その予約がされた要求温度の湯量が確保できる温水層の温水を残す、ことを特徴とする伸縮パイプ付き縦型電気温水器を用いた温水の予約制御方法。
【請求項２】
前記貯湯タンク（２）内の温水をある時間帯に、浴槽（６０）、床暖房（７５）の熱交換に使用する予約をする際に、該貯湯タンク（２）内の最高温度の温水が不足するときは、それより低い温度の温水の温水層にある温水も更に残す、ことを特徴とする請求項１の伸縮パイプ付き縦型電気温水器を用いた温水の予約制御方法。
【請求項３】
前記貯湯タンク（２）内の温水をある時間帯に、給湯に使用することの予約をする際に、その予約がされた要求温度に該当する温水層にある温水を更に残す、ことを特徴とする請求項１の伸縮パイプ付き縦型電気温水器を用いた温水の予約制御方法。
【請求項４】
熱交換と高温水の給湯の両方の予約がされ、かつ使用する湯量が多いときには、一方の予約を受け付けず、そのことを表示器（１５）に表示する、ことを特徴とする請求項１の伸縮パイプ付き縦型電気温水器を用いた温水の予約制御方法。
【発明の詳細な説明】
【技術分野】
【０００１】
本発明は、集合住宅又は戸建住宅等に設置される縦型の貯湯タンクを有する貯湯式電気温水器を用いた温水の給湯技術に係り、特に貯湯タンクから希望する温度の温水を、所定の時間に給湯し、追い焚き又は床暖房に利用する伸縮パイプ付き縦型電気温水器を用いた温水の予約制御方法に関する。
【背景技術】
【０００２】
貯湯タンク式の電気温水器は、電気料金の安い夜間電力を利用して沸かした温水を貯湯タンクに貯蔵しておき、昼間の使用ピーク時にその温水を供給するものである。このような電気温水器は住宅用に多く用いられている。
【０００３】
従来の縦型の貯湯タンク式電気温水器５１は、図６に示すように、発熱体５２となるニクロム線を銅管に収め、またはニクロム線と銅管の間にアルミナのような熱の伝導体を詰めたものを用い、堅牢な鋼板製の貯湯タンク５３の中に装置したものである。その給湯温度は、サーモスタットにより一定に維持するようになっている。縦長に形成された貯湯タンク５３には、その上部に給湯口５４を、下部に給水口５５をそれぞれ設けている。
【０００４】
図示する電気温水器５１は第１熱交換器５６を備え、この第１熱交換器５６は、貯湯タンク５３の上部に開けた供給口５７と、下部に開けた回収口５８間においてパイプで接続されたものである。この第１熱交換器５６は、貯湯タンク５３内の上部の高温度の温水をポンプ５９で循環させ、浴槽６０の温水を追い焚き加熱する機能を有する。
【０００５】
更に、この電気温水器５１には第２熱交換器７１を備えている。この第２熱交換器７１は、貯湯タンク５３の上部に開けた供給口７２と、下部に開けた回収口７３間においてパイプで接続されたものである。この第２熱交換器７１は、貯湯タンク５３内の上部の高温度の温水をポンプ７４で循環させ、床暖房７５の熱源に寄与する。
【０００６】
追い焚き方を工夫した縦型タンクの電気温水器に関する技術としては、例えば特許文献１の特開２００４−１４４３６６号公報「温水熱交換器内蔵型貯湯タンクユニット」のように、湯を貯める貯湯タンクと、この貯湯タンクと接続し、内部に温水を循環させる熱交換パイプを有し、この熱交換パイプで浴槽水の加熱を行う温水熱交換器と、この温水熱交換器内に貯湯タンク内の湯を循環させる循環ポンプと、前記温水熱交換器に浴槽水を循環させる風呂循環ポンプとを備え、前記熱交換パイプの１次側あるいは２次側の少なくともどちらか一方はコイル状に巻いた部分を有し、１次側あるいは２次側のどちらか一方はコイル状に巻いた部分の内側を通る構成とした温水熱交換器内蔵型貯湯タンクユニットが提案されている。
【特許文献１】特開２００４−１４４３６６号公報
【発明の概要】
【発明が解決しようとする課題】
【０００７】
しかし、図６に示すような電気温水器５１の貯湯タンク５３は、その下部に設けた発熱体５２で高温水を上部に誘導し、上部に高温水を溜め、高温水層を形成している。このような縦型の貯湯タンク式電気温水器５１では、貯湯タンク５３下部における低温水を加熱するが、給湯と同時に給水するため、高温水層の下に中温水層、低温水層の温度の異なる温水層が数層に形成される。
【０００８】
このような構造の電気温水器５１では、従来は給湯するときに貯湯タンク５３の上部の
給湯口５４から、高温水層の最高温度の温水を常時給湯していた。この貯湯タンク５３の構造は、８０℃近い高温水が必要なときには適している。しかし、４０℃〜５０℃程度の中温水が必要なときにも、この高温水を給湯し、それを混合栓で水道水と混合して使用しており、温水の有効利用が図られていないという問題を有していた。
【０００９】
また、家族の中で１人だけ帰宅時間が遅く、その人が浴槽６０を使うときに追い焚き加熱する場合に、既に高温の温水を使用していたときは、その浴槽６０の温水を十分に追い焚きできないことがあった。
【００１０】
特に、浴槽６０に湯を張るときは、４０℃〜５０℃程度の大量の中温水を供給する必要がある。従来の電気温水器５１では、中温水が必要なときにも、貯湯タンク５３上部の高温水層から８０℃近い最高温度の湯水を押し出して給湯していた。この最高温度の温水を全部押し出した直後では、更に最高温度の温水を十分に給湯できなかった。また、最高温度の温水を全部押し出した直後では、熱交換器５６，７１で追い焚きすることができないという問題を有していた。
【００１１】
本発明は、かかる問題点を解決するために創案されたものである。すなわち、本発明の目的は、縦型の貯湯タンク内で該当する温度の温水層から希望する温度の温水を選択的に押し出して給湯することで、高温水を残すことにより、この高温水を熱交換器を用いて追い焚きすることができ、かつ高温水は元より中温水又は低温水も残すことにより、貯湯タンク内の温水の有効利用を図ることができる伸縮パイプ付き縦型電気温水器を用いた温水の予約制御方法を提供することにある。
【課題を解決するための手段】
【００１２】
本発明の温水の予約制御方法は、縦長に形成した貯湯タンク（２）内で上下方向に伸縮する伸縮パイプ（１３）を用いて、該伸縮パイプ（１３）の吸込口（１４）を移動させながら要求温度の温水を給湯すると共に、貯湯タンク（２）内の温水を浴槽（６０）の追い焚き、床暖房（７５）の熱交換に使用する伸縮パイプ付き縦型電気温水器を用いた温水の予約制御方法であって、温度の異なる温水層が複数形成された貯湯タンク（２）内において、要求温度に応じた温度の温水層の位置に、前記伸縮パイプ（１３）の吸込口（１４）を移動させ、その位置の温水層の温水を押し出して給湯するが、前記貯湯タンク（２）内の温水をある時間帯に、浴槽（６０）、床暖房（７５）の熱交換に使用する予約がされたときは、その予約がされた要求温度の湯量が確保できる温水層の温水を残すことを特徴とする。
【００１３】
前記貯湯タンク（２）内の温水をある時間帯に、浴槽（６０）、床暖房（７５）の熱交換に使用する予約をする際に、該貯湯タンク（２）内の最高温度の温水が不足するときは、それより低い温度の温水の温水層にある温水も更に残す方法がある。
前記貯湯タンク（２）内の温水をある時間帯に、給湯に使用することの予約をする際に、その予約がされた要求温度に該当する前記温水層にある温水を更に残す方法がある。
熱交換と高温水の給湯の両方の予約がされ、かつ使用する湯量が多いときには、一方の予約を受け付けず、そのことを表示器（１５）に表示することができる。
【発明の効果】
【００１４】
本発明の温水の予約制御方法では、貯湯タンク（２）内の高温度の温水を残す予約をすることにより、所定の時間帯に、熱交換器（６，１１）による浴槽（６０）の追い焚き、又は床暖房（７５）の熱交換が可能となり、効率よく追い焚きでき、又は床暖房（７５）を急速に加熱することができる。一方、給湯するときは、伸縮パイプ（１３）の吸込口（１４）を要求温度に応じた温度の温水層の位置に移動させ、その位置の温水を押し出して給湯し、予約された温度の温水は使用しないので、予約された温水は追い焚き、又は床暖
房（７５）に十分に利用できる。
また、高温度の温水に限定されず、中温度、低温度の温水層の温水を残すことにより、特定の温度の温水を大量に給湯するときにも利用することができる
【００１５】
給湯する要求温度が複数あるときは、熱交換器（６，１１）に利用する高温の温水は残し、給湯に使用する要求温度の温水も残す一方、高温の温水層と給湯に残した中温の温水層の間にある温水は、伸縮パイプ（１３）の吸込口（１４）を移動させ、その温水を押し出して給湯する。このとき、温水を押し出して温水層が薄くなったときに、それに併せて伸縮パイプ（１３）の吸込口（１４）も移動させることにより、予約した温水層の温水を正確に残すことができる。
【図面の簡単な説明】
【００１６】
【図１】実施例１の温水の予約制御方法に実施する伸縮パイプ付き縦型電気温水器を示す全体構成図である。
【図２】温量と追い焚きした温水の温度との相関関係を示すグラフである。
【図３】本発明の予約制御方法を示す概略説明図であり、（ａ）は熱交換用の高温水を確保した状態の一例であり、（ｂ）は熱交換用の高温水を確保した状態の他の例である。
【図４】熱交換用の温水を高温水から中温水まで広範囲に確保した状態を示す概略説明図である。
【図５】異なる温度の温水を複数確保した状態を示す概略説明図である。
【図６】従来の縦型の貯湯タンク式電気温水器を示す正断面図である。
【発明を実施するための最良の形態】
【００１７】
本発明の伸縮パイプ付き縦型電気温水器を用いた温水の予約制御方法は、縦長に形成した貯湯タンク内で上下方向に伸縮する伸縮パイプを用いて、伸縮パイプの吸込口を移動させながら要求温度の温水を給湯すると共に、貯湯タンク内の温水を浴槽の追い焚き、床暖房の熱交換に使用するために残すことができる予約制御方法である。
【実施例１】
【００１８】
以下、本発明の好ましい実施の形態を図面を参照して説明する。
図１は実施例１の温水の予約制御方法に実施する伸縮パイプ付き縦型電気温水器を示す全体構成図である。
本発明の予約制御方法に実施する伸縮パイプ付き縦型電気温水器１は、図示するように、縦長に形成した貯湯タンク２内にその下部に電気料金の安い夜間電力を利用して湯を沸き上げるための発熱体３を備え、その給湯温度は、サーモスタットにより一定に維持するようになっている。縦長に形成された貯湯タンク２には、その上部にキッチン、洗面台、浴槽６０等に温水を供給する給湯口４を、下部に水道水を補給する給水口５をそれぞれ設けている。この給湯口４には後述するように伸縮パイプ１３を備えている。発熱体３は図示するような内部方式に限らず、循環パイプを用いた外部式の発熱体を備えることも可能である。
【００１９】
縦型の貯湯タンク２は、所定量の温水を貯蔵できるように、全体を略円筒形状に形成し、その周囲に真空断熱材等の断熱材を貼り付けたものである。この断熱材は、１３時間放置後の温度低下が２０℃未満を満足する程度の素材が必要である。
【００２０】
この貯湯タンク２は、堅牢な鋼板により製造する。あるいは、合成樹脂製のブロー成型により製造する。例えば、ＰＰＥ（ポリフェノールエチレン）等の合成樹脂材を用いる。但し、タンクとして常時０．１ＭＰａの耐圧力、常時８５℃から最高１００℃程度の耐熱性能を有する合成樹脂材であれば、このＰＰＥに限定されず他の合成樹脂材に種々変更で
きる。
【００２１】
この縦型電気温水器１は、主に浴槽６０の温水を追い焚き加熱する第１熱交換器６を貯湯タンク２の外部に備えている。この第１熱交換器６は、貯湯タンク２の上部に開けた供給口７と貯湯タンク２の下部に開けた回収口８とに接続されている。第１熱交換器６は、貯湯タンク２内の高温水をポンプ９で循環させ、熱交換する機能を有する。
【００２２】
この電気温水器１には、主に床暖房７５の熱源に利用する第２熱交換器１１を貯湯タンク２の外部に備えている。この第２熱交換器１１は、貯湯タンク２の上部に開けた供給口７と、下部に開けた回収口８間においてパイプで接続されたものである。この第２熱交換器１１は、貯湯タンク２内の上部の高温度の温水をポンプ１２で床暖房７５に循環させ、その熱源に利用する。
ここで第１熱交換器６、第２熱交換器１１と称しているが、これは便宜上であり、２機の熱交換器の数に限定されない。浴槽６０の数、床暖房７５の設置数に応じてそれぞれ熱交換器の数が変化することは勿論である。また、熱交換器６，１１は浴槽６０、床暖房７５に限定されず、これ以外にも熱交換する装置に利用することできる。
【００２３】
本発明の伸縮パイプ付き縦型電気温水器１には、縦型の貯湯タンク２内に伸縮パイプ１３を備えている。この伸縮パイプ１３は、貯湯タンク２の上部に開けた給湯口４に接続され、この貯湯タンク２内で上下方向へ伸縮自在になる。この伸縮パイプ１３の先端（下端）に、吸込口１４を具備している。
【００２４】
伸縮パイプ１３は、図示していないが、吸込口１４を取り付けた支持具の中心に、ねじ切りを形成した貫通孔を開け、このねじ切りと螺合するねじ山を形成した駆動軸を貯湯タンク２の長手方向に配置し、この駆動軸をモータで回動することにより、支持具と共に伸縮パイプ１３を貯湯タンク２内で伸縮させ、吸込口１４を上下動するように構成することができる（スピンドル方式）。
【００２５】
伸縮パイプ１３を貯湯タンク２で自在に伸縮させる構成は、このスピンドル方式に限定されない。例えば、駆動軸の回転に代えて、ワイヤーを用いて移動させる構成もある（図示していない）。更に、繰り出し式の伸縮パイプ１３に代えて、蛇腹式、複数に折り畳める方式、パイプに螺旋状にスリットも開けた外管に、直線にスリットを開けた内管を差し込み回転させながら、両スリットが合致した位置の通水孔を上下させる２重管方式その他の構造のものを利用することができる。
【００２６】
伸縮パイプ１３は、貯湯タンク２上部にある高温水層の温水も給湯できるように、貯湯タンク２の上面に設けたパイプケース内に略全体が収納されるように構成した。パイプケース内には最も縮めた状態の伸縮パイプ１３を収納するようになっている。そこで、伸縮パイプ１３の吸込口１４を貯湯タンク２上部の近くまで移動させることができる。貯湯タンク２上部にある高温水層の温水を押し出すことができる。
【００２７】
伸縮パイプ１３は、図１に示すように、キッチン、洗面台、浴槽６０における水栓、床暖房７５などから給湯の要求温度を制御部１６に入力する。このとき温度センサ等で貯湯タンク２内の温水層毎に検知した数値を制御部１６で処理し、この制御部１６からの指令でモータを駆動制御して伸縮パイプ１３を要求温度と同じ温水層の位置まで降ろしてその温水層の温水を押し出して給湯する。
【００２８】
縦型の貯湯タンク式電気温水器１では、貯湯タンク２下部における低温水（補給した水道水等）を加熱すると、加熱された高温水は上部に誘導され、上部に高温水が溜まる。温水の使用により同時に下部に水道水の低温水が補給される。貯湯タンク２内は、高温水層
の下に中温水層、低温水層の温度の異なる温水層が形成される。
【００２９】
貯湯タンク２内で所望の温水層から希望する温度の温水を押し出すことにより、従来のように中温水又は低温水を使用するときには、貯湯タンク２上部の高温水は押し出さず残すことができる。なお、ここで高温水層の下に中温水層、低温水層の温度の異なる温水層が形成されるとしているが、温水層を大まかに区分けしたもので、正確に高温水層、中温水層、低温水層に区切られたものではない。
【００３０】
このように要求温度に応じた温度の温水層の位置に、伸縮パイプ１３の吸込口１４を移動させ、その位置の温水層の温水を押し出して給湯する。そこで、貯湯タンク２内の温水を、ある時間帯に使用する際に、熱交換に必要な温度の温水層を確保、即ち残すことができる。浴槽６０、床暖房７５の熱交換に使用する予約をすることができる。この予約時間、温度等の予約状況は表示器１５に表示する。また、この表示器１５はリモコンを兼ね、浴槽６０、床暖房７５又は給湯の利用時間、その湯量等を制御部１６に入力する機器でもある。
【００３１】
図２の温量と追い焚きした温水の温度との相関関係を示すグラフである。図３は本発明の予約制御方法を示す概略説明図であり、（ａ）は熱交換用の高温水を確保した状態の一例であり、（ｂ）は熱交換用の高温水を確保した状態の他の例である。
次に、予約する湯量と温度との関係を図２に基づいて説明する。図２のグラフは、追い焚きの温度と加熱温度との相関関係を示し、グラフの縦軸が熱交換（追い焚き）に使用する湯量、グラフの横軸が浴槽６０の湯温をそれぞれ示す。貯湯タンク２内の温水を熱交換に使用する予約では、１Ｌの高温水で何Ｌの浴槽６０の湯の温度を１℃上げることができるかを予め計算しておく。例えば、標準モードであれば８０℃の温水１Ｌで３０℃の風呂の湯４０Ｌを１℃上げることができる。ここで標準モードとは第１熱交換器６又は第２熱交換器１１に供給する温水を循環する速度をいい、このような標準的な時間をいう。その標準的な時間より短いときが高速モードとなり、逆にその標準的な時間より長いときが低速モードとなる。
【００３２】
２００Ｌの浴槽６０について、３０℃の湯を４０℃に加熱（追焚き）するときに、８０℃の湯なら５７Ｌを確保する必要がある。外部の第１熱交換器６の中を通る湯のスピードが速いと温まるのも早いが高温の湯が多く必要になる。図２に示すグラフ線は下に下がる。例えば８０℃の湯が６８Ｌであれば１．２倍の高速モードで加熱できる。また同じくグラフ線は上に上がる。例えば８０℃の湯が４６Ｌであれば０．８倍の低速モードで加熱することになる。
【００３３】
基本的な予約方法としては、追い焚き予約を、１回、２回と予約する。このときは高速モードで指定回数の湯量と設定湯量との差分湯量を確保することができる。
図３（ａ）に示すように、例えば浴槽６０の湯が２００Ｌで今の湯温が３０℃とすると、高速モードで８０℃の湯が現在６８Ｌ以上あればそれを確保する。このときの追い焚きの目標水温は４０℃とする。即ち、この部分の温水は予約した時間まで使用せず、伸縮パイプ１３を用いてこれより低い温度の温水を給湯に利用する。設定湯量２００Ｌとすると差分はない。
【００３４】
また、時間予約をする方法がある。１回目の焚き上げ時間を２３：５０と設定し、又は１回目の焚き上げ時間を３時間後と設定することができる。このときは焚き上げ時間までの残り時間を計算し、時間があれば効率のもっとも良い低速モードでの湯量と設定湯量との差分湯量を確保する。このときも伸縮パイプ１３を用いてこれより低い温度の温水を給湯に利用する。
図３（ｂ）に示すように、例えば浴槽６０の湯が２００Ｌで今の湯温が３０℃とすると
、低速モードで８０℃の湯が現在４６Ｌ以上あればそれを確保する。このときの追い焚きの目標水温は４０℃とする。設定湯量２００Ｌとすると差分はない。
【００３５】
また、現時点で浴槽６０の追い焚きや床暖房７５に予約された８０℃の湯が１００Ｌしか残っていない状況では従来なら残湯量はないとガイダンスしていた。しかし、回収口８にも伸縮パイプ（図示していない。）を設け、貯湯タンク２内の同温層へ返還することにより、例えば追い焚き予約を２０：００にしたときは、その追い焚きの際の戻り温度５０℃で５０Ｌの湯水が見込める旨を考慮して、新しい予約にも対応することが可能になる。例えば、追い焚きモードでは、標準モードのときは戻り湯温を５０℃に設定し、高速モードのときは戻り湯温を５５℃に設定し、低速モードであれば戻り湯温を４５℃に設定するようにする。
【００３６】
例えば、シャワーや台所の洗い上げに使用する給湯に４０℃の要求があると、現在は給湯できないが２０：００以降なら、追い焚きすることで、その予約に応えられることのガイダンスを表示器１５に表示する。このとき表示器１５には、「２０：００以降の予約なら受け付ける。」、「２０：００以降の使用なら給湯する。」のように表示する。
【００３７】
図４は熱交換用の温水を高温水から中温水まで確保した状態を示す概略説明図である。
なお、貯湯タンク２内の８０℃の温水が要求する湯量より足りないときは、次の温度７０℃の湯を確保し、必要湯量が確保できるまで計算を続ける。予約したときに、８０℃の高温水が要求する温度を必ずしも充足できないときは、図４に示すように、８０℃の温水を・・Ｌ、７０℃の温水を・・Ｌと６０℃の温水を・・Ｌというように、広範囲に温水を確保する。このときも伸縮パイプ１３を用いて、６０℃より高い温度の温水を給湯に利用しないようにする。
【００３８】
図５は異なる温度の温水を確保した状態を示す概略説明図である。
浴槽６０の追い焚き又は床暖房７５の熱交換には、主として８０℃近い高温水を利用するが、本発明の給湯制御方法ではこの高温水のみの予約に限定されない。低速モードで加熱するとき、または床暖房７５は常に高温水を用いる必要はない。更に、熱交換ではなく、給湯を予約するときは、３０〜４０℃の中温水を大量に予約する場合がある。
【００３９】
このように給湯する要求温度が複数あるときは、熱交換器６，１１に利用する高温の温水は残し、給湯に使用する要求温度の温水も残す一方、高温の温水層と給湯するために残した中温の温水層の間にある温水を、伸縮パイプ１３の吸込口１４を移動させ、その温水を押し出して給湯する。このとき、押し出して温水層が薄くなったときに、それに併せて、伸縮パイプ１３の吸込口１４も移動させることにより、予約した温水層の温水を正確に残すことができる。なお、追い焚きが完了した後は、その戻り湯も使用することができる。
【００４０】
なお、本発明は上述した発明の実施の形態に限定されず、縦型の貯湯タンク２内で該当する温度の温水層から希望する温度の温水を選択的に押し出して給湯することで、高温水を残すことにより、この高温水を熱交換器６，１１を用いて追い焚きすることができ、かつ高温水は元より中温水又は低温水も残すことにより、貯湯タンク２内の温水の有効利用を図ることができれば、図示したような構成に限定されず、本発明の要旨を逸脱しない範囲で種々変更できることは勿論である。
【産業上の利用可能性】
【００４１】
本発明の伸縮パイプ付き縦型電気温水器を用いた温水の予約制御方法は、家庭用温水器に利用するだけでなく、業務用の大型の貯湯タンクを有する縦型電気温水器においても利用することができる。
【符号の説明】
【００４２】
１  縦型電気温水器
２  貯湯タンク
３  発熱体
４  給湯口
５  給水口
６  第１熱交換器
７  供給口
８  回収口
９  ポンプ
１１  第２熱交換器
１２  ポンプ
１３  伸縮パイプ
１４  吸込口
１５  表示器
１６  制御部
６０  浴槽
７５  床暖房
【図１】
2011163689.tif 000003
【図２】
2011163689.tif 000004
【図３】
2011163689.tif 000005
【図４】
2011163689.tif 000006
【図５】
2011163689.tif 000007
【図６】
2011163689.tif 000008